(57)【要約】【課題】地上デジタル放送の受信チャンネルの切り替え後、切り替え後のチャンネルの放送画像を直ちに表示することのできるテレビ受信装置および受信方法を提供する。【解決手段】チャンネル切り替え検出部２が、チャンネル選択部４００による地上デジタル放送のチャンネルの切り替えを検出すると、アナログ放送選局指示部３が、メモリ１に記憶されたチャンネル対応テーブル１１から、新たに選択されたチャンネルに対応するアナログ放送のチャンネルを読み取って、アナログ放送受信部２００に選局を指示する。受信信号選択部５は、チャンネル切り替え検出部２によるチャンネル切り替え検出時点から、復号信号出力開始検出部４による復号信号出力開始検出時点までの間、地上デジタル放送受信部１００から出力される信号の代わりに、アナログ放送受信部２００から出力される信号を出力部３００へ入力する。【選択図】図１
2009171108.tif 000002
【特許請求の範囲】
【請求項１】
地上デジタル放送を受信する地上デジタル放送受信手段と、アナログ放送を受信するアナログ放送受信手段と、前記地上デジタル放送受信手段あるいは前記アナログ放送受信手段から出力された信号の映像および音声を外部へ出力する出力手段と、前記地上デジタル放送のチャンネルを選択するチャンネル選択手段と
を備えるテレビ受信装置であって、
前記チャンネル選択手段により前記地上デジタル放送のチャンネルの切り替えが行われたときに、前記地上デジタル放送受信手段から新たに選択されたチャンネルの復号信号が出力されるまでの間、
前記アナログ放送受信手段が、前記地上デジタル放送の新たに選択されたチャンネルの放送を行っている放送局のアナログ放送のチャンネルを受信し、その出力信号を前記出力手段へ入力する
ことを特徴とするテレビ受信装置。
【請求項２】
地上デジタル放送を受信する地上デジタル放送受信手段と、アナログ放送を受信するアナログ放送受信手段と、前記地上デジタル放送受信手段あるいは前記アナログ放送受信手段から出力された信号の映像および音声を外部へ出力する出力手段と、前記地上デジタル放送のチャンネルを選択するチャンネル選択手段と
を備えるテレビ受信装置であって、
同一放送局の地上デジタル放送のチャンネルとアナログ放送のチャンネルの対応を記載したチャンネル対応テーブルを記憶する記憶手段と、
前記チャンネル選択手段により前記地上デジタル放送のチャンネルの切り替えが行われたことを検出するチャンネル切り替え検出手段と、
前記チャンネル切り替え検出手段によりチャンネルの切り替えが検出されたときに、前記記憶手段から前記チャンネル対応テーブルを呼び出して、新たに選択されたチャンネルに対応するアナログ放送のチャンネルを読み取り、そのチャンネルの選局を前記アナログ放送受信手段に指示するアナログ放送選局指示手段と、
前記地上デジタル放送受信手段から新たに選択されたチャンネルの復号信号が出力され始めたことを検出する復号信号出力開始検出手段と、
前記チャンネル切り替え検出手段によるチャンネル切り替え検出時点から、前記復号信号出力開始検出手段による復号信号出力開始検出時点までの間、前記地上デジタル放送受信手段から出力される信号の代わりに、前記アナログ放送受信手段から出力される信号を前記出力手段へ入力する受信信号選択手段と
を有することを特徴とするテレビ受信装置。
【請求項３】
前記チャンネル切り替え検出手段によるチャンネル切り替え検出時点から、前記復号信号出力開始検出手段による復号信号出力開始検出時点までの間、前記出力手段へ音声信号の出力停止を指示する音声停止指示手段
をさらに有することを特徴とする請求項２に記載のテレビ受信装置。
【請求項４】
地上デジタル放送を受信する地上デジタル放送受信手段と、アナログ放送を受信するアナログ放送受信手段と、前記地上デジタル放送受信手段あるいは前記アナログ放送受信手段から出力された信号の映像および音声を外部へ出力する出力手段と、前記地上デジタル放送のチャンネルを選択するチャンネル選択手段とを備えるテレビ受信装置の受信方法であって、
前記チャンネル選択手段により前記地上デジタル放送のチャンネルの切り替えが行われたことを検出するステップと、
同一放送局の地上デジタル放送のチャンネルとアナログ放送のチャンネルの対応を記載したチャンネル対応テーブルにもとづいて、前記アナログ放送受信手段が、新たに選択されたチャンネルに対応するアナログ放送のチャンネルを選局して受信するステップと、
前記地上デジタル放送のチャンネルの切り替え時点から、前記地上デジタル放送受信手段による新たに選択されたチャンネルの復号信号出力時点までの間、前記地上デジタル放送受信手段から出力される信号の代わりに、前記アナログ放送受信手段から出力される信号を前記出力手段へ入力するステップと
を有することを特徴とする受信方法。
【請求項５】
前記地上デジタル放送のチャンネルの切り替え時点から、前記地上デジタル放送受信手段による新たに選択されたチャンネルの復号信号出力時点までの間、音声信号の出力を停止する
ことを特徴とする請求項４に記載の受信方法。
【発明の詳細な説明】
【技術分野】
【０００１】
本発明は、テレビ受信装置および受信方法に関する。
【背景技術】
【０００２】
電波の有効利用を目的として地上波テレビ放送のアナログ方式からデジタル方式への切り替えが決定され、地上デジタル放送が開始されている。これに対応して、従来のアナログ放送に加えて、地上デジタル放送の受信も可能なテレビ受信装置が普及してきている。
【０００３】
現在はアナログ方式からデジタル方式への移行期にあたるため、同一番組が、アナログ放送と地上デジタル放送で同時に放送されている。地上デジタル放送では、ハイビジョン方式での放送も行われ、従来のアナログ放送に比べて、高精細・高画質の映像を楽しむことができる。
【０００４】
しかし、地上デジタル放送の受信では、圧縮符号化されている受信データの復号処理を行う必要があり、チャンネルの切り替えを行った場合、切り替え後のチャンネルの画像が直ちには表示されず、一時的に黒い画面が表示される。そのため、チャンネルの切り替え直後に画像が表示される従来のアナログ放送に慣れている視聴者には不便さを感じさせる。
【０００５】
このような視聴者の不便さに対して、従来、デジタル放送のチャンネル切り替え時に、画面が切り替わるまでの間、使用者の選択に応じた代替情報（広告、使用者固有情報または番組案内など）を表示させる情報出力方法が提案されている（例えば、特許文献１参照。）。
【０００６】
しかし、視聴者には、切り替え後のチャンネルでどのような放送が行われているかを放送画像で確認したいという要望が強く、上述の方法では、この視聴者の要望を満たすことができない、という問題があった。
【特許文献１】特開２００６−１４１０３０号公報  （第９ページ、図３）
【発明の開示】
【発明が解決しようとする課題】
【０００７】
そこで、本発明の目的は、地上デジタル放送の受信チャンネルの切り替え後、切り替え後のチャンネルの放送画像を直ちに表示することのできるテレビ受信装置および受信方法を提供することにある。
【課題を解決するための手段】
【０００８】
本発明の一態様によれば、地上デジタル放送を受信する地上デジタル放送受信手段と、アナログ放送を受信するアナログ放送受信手段と、前記地上デジタル放送受信手段あるいは前記アナログ放送受信手段から出力された信号の映像および音声を外部へ出力する出力手段と、前記地上デジタル放送のチャンネルを選択するチャンネル選択手段とを備えるテレビ受信装置であって、前記チャンネル選択手段により前記地上デジタル放送のチャンネルの切り替えが行われたときに、前記地上デジタル放送受信手段から新たに選択されたチャンネルの復号信号が出力されるまでの間、前記アナログ放送受信手段が、前記地上デジタル放送の新たに選択されたチャンネルの放送を行っている放送局のアナログ放送のチャンネルを受信し、その出力信号を前記出力手段へ入力することを特徴とするテレビ受信装置が提供される。
【０００９】
また、本発明の別の一態様によれば、地上デジタル放送を受信する地上デジタル放送受信手段と、アナログ放送を受信するアナログ放送受信手段と、前記地上デジタル放送受信手段あるいは前記アナログ放送受信手段から出力された信号の映像および音声を外部へ出力する出力手段と、前記地上デジタル放送のチャンネルを選択するチャンネル選択手段とを備えるテレビ受信装置であって、同一放送局の地上デジタル放送のチャンネルとアナログ放送のチャンネルの対応を記載したチャンネル対応テーブルを記憶する記憶手段と、前記チャンネル選択手段により前記地上デジタル放送のチャンネルの切り替えが行われたことを検出するチャンネル切り替え検出手段と、前記チャンネル切り替え検出手段によりチャンネルの切り替えが検出されたときに、前記記憶手段から前記チャンネル対応テーブルを呼び出して、新たに選択されたチャンネルに対応するアナログ放送のチャンネルを読み取り、そのチャンネルの選局を前記アナログ放送受信手段に指示するアナログ放送選局指示手段と、前記地上デジタル放送受信手段から新たに選択されたチャンネルの復号信号が出力され始めたことを検出する復号信号出力開始検出手段と、前記チャンネル切り替え検出手段によるチャンネル切り替え検出時点から、前記復号信号出力開始検出手段による復号信号出力開始検出時点までの間、前記地上デジタル放送受信手段から出力される信号の代わりに、前記アナログ放送受信手段から出力される信号を前記出力手段へ入力する受信信号選択手段とを有することを特徴とするテレビ受信装置が提供される。
【００１０】
また、本発明の一態様によれば、地上デジタル放送を受信する地上デジタル放送受信手段と、アナログ放送を受信するアナログ放送受信手段と、前記地上デジタル放送受信手段あるいは前記アナログ放送受信手段から出力された信号の映像および音声を外部へ出力する出力手段と、前記地上デジタル放送のチャンネルを選択するチャンネル選択手段とを備えるテレビ受信装置の受信方法であって、前記チャンネル選択手段により前記地上デジタル放送のチャンネルの切り替えが行われたことを検出するステップと、同一放送局の地上デジタル放送のチャンネルとアナログ放送のチャンネルの対応を記載したチャンネル対応テーブルにもとづいて、前記アナログ放送受信手段が、新たに選択されたチャンネルに対応するアナログ放送のチャンネルを選局して受信するステップと、前記地上デジタル放送のチャンネルの切り替え時点から、前記地上デジタル放送受信手段による新たに選択されたチャンネルの復号信号出力時点までの間、前記地上デジタル放送受信手段から出力される信号の代わりに、前記アナログ放送受信手段から出力される信号を前記出力手段へ入力するステップとを有することを特徴とする受信方法が提供される。
【発明の効果】
【００１１】
本発明によれば、地上デジタル放送の受信チャンネルの切り替え後、直ちに切り替え後のチャンネルの放送画像を表示することができる。
【発明を実施するための最良の形態】
【００１２】
以下、本発明の実施例を図面を参照して説明する。
【実施例１】
【００１３】
図１は、本発明の実施例１に係るテレビ受信装置の構成の例を示すブロック図である。
【００１４】
図１に示すテレビ受信装置は、地上デジタル放送信号が入力される地上デジタル放送受信部１００と、アナログ放送信号が入力されるアナログ放送受信部２００と、地上デジタル放送受信部１００あるいはアナログ放送受信部２００から出力される信号の映像および音声を外部へ出力する出力部３００と、チャンネル選択入力に従って地上デジタル放送のチャンネルを選択するチャンネル選択部４００と、を備えている。
【００１５】
出力部３００には、入力された信号の映像を外部へ出力する映像出力部３１０と、音声を外部へ出力する音声出力部３２０と、が含まれる。
【００１６】
本実施例のテレビ受信装置は、同一放送局の地上デジタル放送のチャンネルとアナログ放送のチャンネルの対応を記載したチャンネル対応テーブル１１を記憶するメモリ１と、チャンネル選択部４００により地上デジタル放送のチャンネルの切り替えが行われたことを検出するチャンネル切り替え検出部２と、チャンネル切り替え検出部２によりチャンネルの切り替えが検出されたときに、メモリ１からチャンネル対応テーブル１１を呼び出して、新たに選択されたチャンネルに対応するアナログ放送のチャンネルを読み取り、そのチャンネルの選局をアナログ放送受信部２００に指示するアナログ放送選局指示部３と、地上デジタル放送受信部１００から新たに選択されたチャンネルの復号信号が出力され始めたことを検出する復号信号出力開始検出部４と、チャンネル切り替え検出部２によるチャンネル切り替え検出時点から、復号信号出力開始検出部４による復号信号出力開始検出時点までの間、地上デジタル放送受信部１００から出力される信号の代わりに、アナログ放送受信部２００から出力される信号を出力部３００へ入力する受信信号選択部５と、を有する。
【００１７】
図２に、受信中の地上デジタル放送のチャンネルが切り替えられたときの、本実施例のテレビ受信装置の処理の流れをフロー図で示す。
【００１８】
地上デジタル放送の受信中に、チャンネル選択部４００によりチャンネルの切り替えが行われると、チャンネル切り替え検出部２が、そのチャンネルの切り替えを検出する（ステップＳ０１）。
【００１９】
チャンネル切り替え検出部２によりチャンネルの切り替えが検出されると、アナログ放送選局指示部３が、メモリ１からチャンネル対応テーブル１１を呼び出して（ステップＳ０２）、新たに選択されたチャンネルに対応するアナログ放送のチャンネルを読み取り、そのチャンネルの選局をアナログ放送受信部２００に指示する（ステップＳ０３）。
【００２０】
アナログ放送受信部２００は、指示されたチャンネルを選局して受信する（ステップＳ０４）。
【００２１】
また、チャンネル切り替え検出部２によりチャンネルの切り替えが検出されると、受信信号選択部５は、アナログ放送受信部２００から出力される信号を出力部３００へ入力する。これにより、出力部３００から出力される信号は、地上デジタル放送受信部１００の出力から、アナログ放送受信部２００の出力へと切り替わる（ステップＳ０５）。
【００２２】
これにより、出力部３００からは、チャンネル選択部４００により新たに選択されたチャンネルの地上デジタル放送と同一内容のアナログ放送が出力される。
【００２３】
その後、復号信号出力開始検出部４が、地上デジタル放送受信部１００から新たに選択されたチャンネルの復号信号が出力され始めたことを検出すると（ステップＳ０６）、受信信号選択部５は、地上デジタル放送受信部１００から出力される信号を出力部３００へ出力する。これにより、出力部３００から出力される信号は、アナログ放送受信部２００の出力から、地上デジタル放送受信部１００の出力へと戻る（ステップＳ０７）。
【００２４】
これにより、出力部３００からは、チャンネル選択部４００により新たに選択された、本来の地上デジタル放送が出力される。
【００２５】
上述したフローの処理により、地上デジタル放送の受信中にチャンネルの切り替えが行われると、本実施例のテレビ受信装置は、新たに選択されたチャンネルのデジタル放送が復号されるまでの間、同一の放送を行っているアナログ放送を受信して再生する。アナログ放送は、選局後、直ちに再生されるので、チャンネル切り替え後の放送内容を直ちに表示することができる。
【００２６】
このような本実施例によれば、地上デジタル放送のチャンネル切り替え後に、黒い画面を表示することなく、切り替え後のチャンネルに対応するアナログ放送画像を直ちに表示することができる。これにより、切り替え後のチャンネルでどのような放送が行われているかを放送画像で確認したいという、視聴者の要望に応えることができる。
【実施例２】
【００２７】
実施例１では、地上デジタル放送のチャンネルの切り替え時に、アナログ放送の画像の再生とともに音声も再生される。したがって、地上デジタル放送受信部１００から復号信号が出力され始め、受信信号選択部５が、その信号を出力部３００へ入力し始めると、既に再生された音声が、地上デジタル放送受信部１００の処理時間の遅れを伴って、再び再生される。そのため、視聴者に聴感上の不快感を与えることがある。
【００２８】
そこで、本実施例では、受信信号選択部５がアナログ放送受信部２００から出力される信号を出力部３００へ入力している間、音声出力部３２０からの音声信号の出力を停止するテレビ受信装置の例を示す。
【００２９】
図３は、本発明の実施例２に係るテレビ受信装置の構成の例を示すブロック図である。
【００３０】
本実施例のテレビ受信装置は、図１に示した実施例１のテレビ受信装置に音声停止指示部６を追加したものである。そこで、図３において、実施例１と同じ機能を有するブロックには図１と同一の符号を付し、ここではその詳細な説明を省略する。
【００３１】
音声停止指示部６は、チャンネル切り替え検出部２がチャンネル切り替えを検出すると音声出力部３２０へ音声信号の出力停止を指示し、復号信号出力開始検出部４が復号信号出力開始を検出すると音声出力部３２０へ音声信号の出力停止の解除を指示する。
【００３２】
この音声停止指示部６の指示により、音声出力部３２０は、チャンネル切り替え検出部２によるチャンネル切り替え検出時点から、復号信号出力開始検出部４による復号信号出力開始検出時点までの間、音声信号の出力を停止する。すなわち、音声出力はミュート（無音）状態となる。
【００３３】
その後、復号信号出力開始検出部４が地上デジタル放送受信部１００から復号信号が出力され始めたことを検出し、受信信号選択部５がその信号を出力部３００へ入力し始めると、音声出力部３２０は、音声信号の出力を再開する。
【００３４】
図４に、受信中の地上デジタル放送のチャンネルが切り替えられたときの、本実施例のテレビ受信装置の処理の流れをフロー図で示す。
【００３５】
図４に示すフローは、図２に示したフローに、音声出力停止の処理（ステップＳ１１）および音声出力再開の処理（ステップＳ１２）を追加したものである。そこで、図４において、図２と同じ処理を行うステップには図２と同一の符号を付し、ここではその詳細な説明を省略する。
【００３６】
図４に示すフローにおいて、出力部３００で再生される受信信号が、アナログ放送受信部２００の出力へと切り替わると（ステップＳ０５）、音声出力部３２０は、音声停止指示部６の指示により、音声信号の出力を停止する（ステップＳ１１）。
【００３７】
また、出力部３００で再生される受信信号が地上デジタル放送受信部１００の出力へと戻ると（ステップＳ０７）、音声出力部３２０は、音声信号の出力を再開する（ステップＳ１１）。
【００３８】
このような本実施例によれば、地上デジタル放送のチャンネル切り替え時に、新たに選択されたチャンネルに対応するアナログ放送の画像のみを再生し、音声出力をミュート状態にすることができる。これにより、地上デジタル放送の復号信号が出力され始めたときに、既に再生された音声が繰り返し再生されることを防止でき、視聴者の聴感上の不快感を低減させることができる。
【図面の簡単な説明】
【００３９】
【図１】本発明の実施例１に係るテレビ受信装置の構成の例を示すブロック図。
【図２】実施例１のテレビ受信装置における地上デジタル放送のチャンネル切り替え処理の例を示すフロー図。
【図３】本発明の実施例２に係るテレビ受信装置の構成の例を示すブロック図。
【図４】実施例２のテレビ受信装置における地上デジタル放送のチャンネル切り替え処理の例を示すフロー図。
【符号の説明】
【００４０】
１  メモリ
２  チャンネル切り替え検出部
３  アナログ放送選局指示部
４  復号信号出力開始検出部
５  受信信号選択部
６  音声停止指示部
１１  チャンネル対応テーブル
【図１】
2009171108.tif 000003
【図２】
2009171108.tif 000004
【図３】
2009171108.tif 000005
【図４】
2009171108.tif 000006